(57)【要約】【課題】隔日や数日周期の動作設定を容易とするとともに、設定作業を容易に行わせるようにして誤設定を回避することができる血液浄化装置を提供する。【解決手段】体外循環する患者の血液を浄化して治療する浄化処理手段３を具備した血液浄化装置において、カレンダー１０を表示して任意日付を選択可能とされるとともに、当該日付に対して所定の入力を行い得る画面を有したタッチパネル１と、該タッチパネル１にて選択された日付に入力された内容に基づき、当該日付に達したことを条件として、浄化処理手段３による治療に関わる所定動作を行わせる制御手段２とを備えたことを特徴とする。【選択図】図１
2007289480.tif 000002
【特許請求の範囲】
【請求項１】
体外循環する患者の血液を浄化して治療する浄化処理手段を具備した血液浄化装置において、
カレンダーを表示して任意日付を選択可能とされるとともに、当該日付に対して所定の入力を行い得る画面を有したタッチパネルと、
該タッチパネルにて選択された日付に入力された内容に基づき、当該日付に達したことを条件として、前記浄化処理手段による治療に関わる所定動作を行わせる制御手段と、
を備えたことを特徴とする血液浄化装置。
【請求項２】
前記タッチパネルにて、前記治療に関わる所定動作を行わせるべき周期日数を入力すると、前記カレンダーに当該周期日数に応じたスケジュールを表示し得ることを特徴とする請求項１記載の血液浄化装置。
【請求項３】
前記周期日数が入力された状態で、前記カレンダーの特定の日付及びその日の浄化処理手段による治療に関わる所定動作を選択し得るとともに、当該特定の日付に応じてそれ以降のスケジュールを自動的に調整し得ることを特徴とする請求項２記載の血液浄化装置。
【請求項４】
前記タッチパネルにて選択された日付又は周期日数に応じた日付に、設定された所定動作に対応するアイコンを表示させることを特徴とする請求項１〜請求項３の何れか１つに記載の血液浄化装置。
【請求項５】
前記カレンダーの日付毎に、前記制御手段にて行われた所定動作の内容又は前記浄化処理手段にて行われた治療に関わる所定の治療データを記憶する記憶手段を具備するとともに、当該カレンダーの過去の日付を選択すると、前記記憶手段で記憶された当該日付における前記所定動作の内容又は治療データを表示し得ることを特徴とする請求項１〜請求項４の何れか１つに記載の血液浄化装置。
【発明の詳細な説明】
【技術分野】
【０００１】
本発明は、体外循環する患者の血液を浄化して治療する浄化処理手段を具備した血液浄化装置に関するものである。
【背景技術】
【０００２】
透析治療などで用いられる血液浄化装置としての透析装置は、通常、体外循環する患者の血液を浄化するダイアライザや、透析用原液を混合して所定濃度の透析液を作製する混合手段等を具備しており、かかる透析液がダイアライザに供給されるよう構成されている。然るに、透析治療前には、混合手段にて所定量の透析液を予め作製しておく必要があり、透析治療後（透析治療がある日及びない日の両日を含む）には、衛生維持の観点から、混合手段等を洗浄又は消毒する必要がある。
【０００３】
これら透析液の作製作業や洗浄、消毒作業が必要とされる都度、操作を行っていたのでは、医療従事者等による頻繁な作業が必要となって面倒であることから、従来より、タイマ機能を有した透析装置が提案されている。即ち、１週間（月曜日〜日曜日）の各曜日毎に透析治療時間を設定しておき、その設定された治療時間に合わせて自動的に透析液の作製や洗浄、消毒作業を自動的に行わせることができる。尚、かかる先行技術は、文献公知発明に係るものでないため、記載すべき先行技術文献情報はない。
【発明の開示】
【発明が解決しようとする課題】
【０００４】
しかしながら、上記従来の血液浄化装置においては、１週間の各曜日毎に透析治療時間を設定し、その設定された治療時間に合わせて自動的に透析液の作製等、所定の動作を行わせるものであるため、以下の如き問題があった。例えば、治療効果の観点から、治療を隔日（１日おき）や数日おきで行うのが好ましい場合があるが、そうした日程を設定しようとすると、１週間が奇数日（７日）から成るため、次の週で治療日がずれてしまうという問題があった。
【０００５】
また、従来の血液浄化装置においては、隔日や数日おきの治療日の設定を行うには、複雑な操作が必要とされることから、誤った設定を行ってしまう可能性が高く、その誤設定に基づいて所定の動作が行われてしまう不具合もあった。更に、複雑な操作を行うために別個のマニュアル等を参照する必要もあり、作業性が著しく悪化してしまうという問題もあった。
【０００６】
本発明は、このような事情に鑑みてなされたもので、隔日や数日周期の動作設定を容易とするとともに、設定作業を容易に行わせるようにして誤設定を回避することができる血液浄化装置を提供することにある。
【課題を解決するための手段】
【０００７】
請求項１記載の発明は、体外循環する患者の血液を浄化して治療する浄化処理手段を具備した血液浄化装置において、カレンダーを表示して任意日付を選択可能とされるとともに、当該日付に対して所定の入力を行い得る画面を有したタッチパネルと、該タッチパネルにて選択された日付に入力された内容に基づき、当該日付に達したことを条件として、前記浄化処理手段による治療に関わる所定動作を行わせる制御手段とを備えたことを特徴とする。
【０００８】
請求項２記載の発明は、請求項１記載の血液浄化装置において、前記タッチパネルにて、前記治療に関わる所定動作を行わせるべき周期日数を入力すると、前記カレンダーに当該周期日数に応じたスケジュールを表示し得ることを特徴とする。
【０００９】
請求項３記載の発明は、請求項２記載の血液浄化装置において、前記周期日数が入力された状態で、前記カレンダーの特定の日付及びその日の浄化処理手段による治療に関わる所定動作を選択し得るとともに、当該特定の日付に応じてそれ以降のスケジュールを自動的に調整し得ることを特徴とする。
【００１０】
請求項４記載の発明は、請求項１〜請求項３の何れか１つに記載の血液浄化装置において、前記タッチパネルにて選択された日付又は周期日数に応じた日付に、設定された所定動作に対応するアイコンを表示させることを特徴とする。
【００１１】
請求項５記載の発明は、請求項１〜請求項４の何れか１つに記載の血液浄化装置において、前記カレンダーの日付毎に、前記制御手段にて行われた所定動作の内容又は前記浄化処理手段にて行われた治療に関わる所定の治療データを記憶する記憶手段を具備するとともに、当該カレンダーの過去の日付を選択すると、前記記憶手段で記憶された当該日付における前記所定動作の内容又は治療データを表示し得ることを特徴とする。
【発明の効果】
【００１２】
請求項１の発明によれば、タッチパネルの画面にカレンダーを表示させて任意日付を選択可能としているので、隔日や数日周期の動作設定を容易とするとともに、当該タッチパネルに対する入力により所定の動作を行わせるべき日付を選択し得るので、設定作業を容易に行わせるようにして誤設定を回避することができる。
【００１３】
請求項２の発明によれば、タッチパネルにて治療に関わる所定動作を行わせるべき周期日数を入力すると、当該タッチパネルにおける画面のカレンダーに当該周期日数に応じたスケジュールを表示し得るので、設定作業を更に容易に行わせることができる。
【００１４】
請求項３の発明によれば、周期日数が入力された状態で、カレンダーの特定の日付及びその日の浄化処理手段による治療に関わる所定動作を選択し得るとともに、当該特定の日付に応じてそれ以降のスケジュールを自動的に調整し得るので、変則的又は突発的なスケジュールにも容易に対応させることができる。
【００１５】
請求項４の発明によれば、タッチパネルにて選択された日付又は周期日数に応じた日付に、設定された所定動作に対応するアイコンを表示させるので、スケジュールを容易に把握させることができる。
【００１６】
請求項５の発明によれば、カレンダーの日付毎に、前記制御手段にて行われた所定動作の内容又は浄化処理手段にて行われた治療に関わる所定の治療データを記憶する記憶手段を具備するとともに、当該カレンダーの過去の日付を選択すると、記憶手段で記憶された当該日付における所定動作の内容又は治療データを表示し得るので、任意の過去の日付における所定動作の内容や治療データを容易に参照することができる。
【発明を実施するための最良の形態】
【００１７】
以下、本発明の実施形態について図面を参照しながら具体的に説明する。
本実施形態に係る血液浄化装置は、体外循環する患者の血液を浄化して透析治療する浄化処理手段（血液回路、ダイアライザ及び混合手段等）を具備した透析装置に適用されたもので、図１に示すように、タッチパネル１と、制御手段２と、浄化処理手段３と、記憶手段４とから主に構成されている。
【００１８】
浄化処理手段３は、図２に示すように、例えばＡ剤、Ｂ剤から成る透析用原液を混合して所定濃度の透析液を作製するための混合手段５と、該混合手段５で作製された透析液をダイアライザ９に供給する供給手段６と、当該ダイアライザ９と接続されて患者の血液を体外循環させるための血液回路（７ａ、７ｂ）とから主に構成されている。
【００１９】
ダイアライザ９は、その筐体部に、血液導入ポート９ａ、血液導出ポート９ｂ、透析液導入ポート９ｃ及び透析液導出ポート９ｄが形成されており、このうち血液導入ポート９ａには動脈側血液回路７ａが、血液導出ポート９ｂには静脈側血液回路７ｂがそれぞれ接続されている。また、透析液導入ポート９ｃ及び透析液導出ポート９ｄは、供給手段６から延設された透析液導入ラインＬ１及び透析液排出ラインＬ２とそれぞれ接続されている。
【００２０】
ダイアライザ９内には、複数の中空糸が収容されており、該中空糸内部が血液の流路とされるとともに、中空糸外周面と筐体部の内周面との間が透析液の流路とされている。中空糸には、その外周面と内周面とを貫通した微少な孔（ポア）が多数形成されて中空糸膜を形成しており、該膜を介して血液中の不純物等が透析液内に透過し得るよう構成されている。
【００２１】
一方、動脈側血液回路７ａには、血液ポンプ８が配設されるとともに、静脈側血液回路７ｂには、ドリップチャンバＤが接続されており、これら血液回路の先端にはそれぞれ動脈側穿刺針ａ及び静脈側穿刺針ｂが取り付けられるよう構成されている。そして、動脈側穿刺針ａ及び静脈側穿刺針ｂを患者に穿刺した状態で、血液ポンプ８を駆動させると、患者の血液は、動脈側血液回路７ａを通ってダイアライザ９に至った後、該ダイアライザ９によって血液浄化が施され、ドリップチャンバＤで除泡がなされつつ静脈側血液回路７ｂを通って患者の体内に戻る。
【００２２】
ここで、本実施形態に係るタッチパネル１は、図３に示すように、カレンダー１０を表示して任意日付を選択可能とされるとともに、当該日付に対して所定の入力を行い得る画面１ａを有している。カレンダー１０は、その上段に日曜日〜土曜日までの１週間の表示がなされるとともに、その下段に各曜日に対する日付が表示されており、任意日付が表示された部位に触れることにより、当該日付を選択し得るようになっている。
【００２３】
例えば、日付が表示された部位を触れて選択すると画面１ａが、図４に示すように画面１ｂに切り替わって、その日の動作内容や動作開始時刻の設定を行い得る表示となるよう構成されている。かかる動作内容は、浄化処理手段３による治療に関わる所定動作（混合手段５による透析液作製や当該混合手段５或いは供給手段６の洗浄、消毒等）とされ、選択された日付毎に設定可能とされている。
【００２４】
更に、本実施形態における画面１ｂには、所定動作に応じたアイコン（例えば、治療が行われる日と行われない日とで異なる動作を行わせるべく、それらに応じた異なるアイコン）が表示されており、任意アイコンを選択して触れることにより、その日付で行わせる所望の所定動作を入力可能とされている。即ち、治療が行われる日（例えば、透析液の作製に加え、混合手段５或いは供給手段６の洗浄又は消毒が行われる）と治療が行われない日（例えば、混合手段５の洗浄又は消毒のみ）とでは、行われるべき所定動作が異なるので、これら日を区別すべくアイコンを異ならせているのである。尚、設定済みの日付を触れた場合も、同図の如き表示がなされ、設定の確認及び変更を行うことが可能とされている。
【００２５】
日付の選択、及び浄化処理手段３による治療に関わる所定動作が設定された後、画面１ｂにおける「保存」なる表示部に触れると、設定が完了し、図５で示すように、設定内容を反映したカレンダー１０が画面１ｃに表示されることとなる。このカレンダー１０においては、選択された日付に対して入力された所定動作を表すアイコンがそれぞれ表示され、１ヶ月のスケジュール管理が容易となっている。
【００２６】
尚、画面１ａの「来月」なる表示部に触れると、次の月（更に触れることにより順次次の月）におけるカレンダー１０が表示され、上記の如き日付の選択、所定動作の入力、スケジュール表示がなされるよう構成されている。また、「先月」なる表示部に触れると、前の月（更に触れることにより順次前の月）におけるカレンダー１０が表示されて、過去のスケジュールを表示し得るよう構成されている。
【００２７】
一方、画面１ａの「周期日数」なる表示部（周期設定部１１）を触れることにより、治療に関わる所定動作を行わせるべき周期日数（１日おきの隔日や２日おき以上の周期）を入力し得るよう構成されている。即ち、本実施形態においては、上記の如く不規則に日付を任意選択するのに代えて、所定の周期で繰り返し所定動作を行わせるべく設定することが可能とされているのである。
【００２８】
具体的には、周期設定部１１を触れると、図６で示すように、周期日数の選択表示の画面１ｄに切り替わるので、表示された複数の周期日数のうち任意の周期日数の表示部を触れた後、「次へ」なる表示部を触れて入力する。これにより、画面１ｄが図７の如き画面１ｅに切り替わるので、「１日目の予定」及び「２日目の予定」なる表示部を触れることにより、各日付で行われるべき所定動作をそれぞれ入力することができる。
【００２９】
例えば、同図中「１日目の予定」なる表示部を触れた後、「入力終了」なる表示部を触れると、図４の如き表示がなされ、既述の如く、１日目の治療に関わる所定動作を入力でき、当該入力が完了すると、図７の表示に戻る。かかる表示において「２日目の予定」なる表示部を触れると、再び図４の如き表示がなされ、同様に、２日目の治療に関わる所定動作（１日目とは異なる所定動作）を入力可能とされている。
【００３０】
各入力が完了すると、図８に示すように、画面１ｆに切り替わって、１日目に予定される所定動作を示すアイコン、及び２日目に予定される所定動作を示すアイコンがそれぞれ表示されることとなる。そして、同図における「入力終了」なる表示部を触れるとことにより、隔日（１日おき）の周期日数に対する設定が完了するとともに、図９に示すように、画面１ｇに切り替わって、当該周期日数に応じたスケジュール（各アイコンが交互に表示された状態）がカレンダー１０に表示されることとなる。
【００３１】
尚、周期日数を２日おき（３日周期）、３日おき（４日周期）、４日おき（５日周期）又は５日おき（６日周期）とする場合には、図８の表示において、対応する部位に触れ、１日目〜６日目で行わせるべき所定動作をそれぞれ入力して設定することとなる。また、１ヶ月おきに行わせるべき所定動作を設定可能とし、例えば混合手段５に対するカルシウム除去等の動作を１ヶ月毎に行わせるようにしてもよい。
【００３２】
しかるに、周期日数が入力され、所定周期でのスケジュールが設定された状態において、カレンダー１０の特定の日付及びその日の浄化処理手段３による治療に関わる所定動作を選択し得るとともに、当該特定の日付に応じてそれ以降のスケジュールを自動的に調整し得るよう構成してもよい。この場合、血液浄化装置が設置された病院等の医療機関や患者の都合に応じた変則的又は突発的なスケジュールにも容易に対応させることができる。設定された特定の日付には、特定のアイコンを表示させるのが好ましい。
【００３３】
制御手段２は、上記タッチパネル１にて選択された日付に入力された内容（動作開始時刻或いは所定動作等）に基づき、当該日付（設定された時刻）に達したことを条件として、浄化処理手段３による治療に関わる所定動作を行わせるものであり、例えばマイコン等で構成される。即ち、制御手段２は、タッチパネル１にて設定されたスケジュールに基づき、浄化処理手段３に対して所定の動作を行わせるよう指示するための機能を有している。
【００３４】
記憶手段４は、カレンダー１０の日付毎に、制御手段２にて行われた所定動作の内容又は浄化処理手段３にて行われた治療に関わる所定の治療データを記憶するものであり、例えばメモリ等から成る。また、本実施形態においては、図１０で示す画面１ｈのように、カレンダー１０の過去の日付の背景を異ならせ、判別が容易とされているとともに、当該過去の日付を選択して触れることにより、図１１に示すように、画面１ｉに切り替わって、記憶手段４で記憶された日付における所定動作の内容又は治療データが表示され得るようになっている。
【００３５】
同図においては、その日に行われた所定動作を示すアイコン、動作内容、動作開始時刻などの所定動作の内容の他、その日の経時的な治療データ、装置動作を示す記録（ログ）或いは治療データに基づいたグラフ等の治療データが表示されるようになっている。治療データには、静脈圧や除水量などの他、血圧等のバイタルサインや警報の発生状況等を含ませることができる。このように、カレンダー１０の過去の日付を選択すると、記憶手段４で記憶された当該日付における所定動作の内容又は治療データを表示し得るので、任意の過去の日付における所定動作の内容や治療データを容易に参照することができる。
【００３６】
上記実施形態によれば、タッチパネル１の画面にカレンダー１０を表示させて任意日付を選択可能としているので、従来の如く曜日毎に設定するものに比べ、隔日や数日周期の動作設定を容易とすることができる。加えて、当該タッチパネル１に対する入力により所定の動作を行わせるべき日付を選択し得るので、設定作業を容易に行わせるようにして誤設定を回避することができる。
【００３７】
更に、タッチパネル１にて治療に関わる所定動作を行わせるべき周期日数を入力すると、当該タッチパネル１における画面のカレンダー１０に当該周期日数に応じたスケジュールを表示し得るので、設定作業を更に容易に行わせることができる。また更に、タッチパネル１にて選択された日付又は周期日数に応じた日付に、設定された所定動作に対応するアイコンをカレンダー１０に表示させるので、スケジュールを容易に把握させることができる。
【００３８】
以上、本実施形態について説明したが、本発明はこれに限定されず、例えば複数の月のカレンダーを同一画面に表示し、当該複数のカレンダーに亘って、日付の選択、所定動作の入力及びスケジュール表示を行わせるよう構成してもよい。また、日付毎に設定する動作開始時刻を、例えば、午前、午後及び深夜の複数の時間帯に亘って設定可能としてもよい。更に、カレンダーやアイコンの形態については、任意に変更することができる。
【００３９】
また更に、日付毎に設定されるべき所定動作は、透析液の作製や溶解装置或いは供給手段の洗浄、消毒に限定されず、浄化処理手段による治療に関わる動作であれば他のものであってもよい。然るに、所定動作は、日付毎の設定に加え、操作者の選択により、曜日毎に設定できるよう構成してもよい。尚、上記構成要素を備えた血液浄化装置は、病院等医療機関に設置されるもの、或いは患者の家屋に設置する在宅用のものであってもよく、透析装置に限らず体外循環する患者の血液を浄化して治療するものであれば、他の装置（例えば血液濾過透析法、血液濾過法、ＡＦＢＦで使用される血液浄化装置、血漿吸着装置など）に適用してもよい。
【産業上の利用可能性】
【００４０】
カレンダーを表示して任意日付を選択可能とされるとともに、当該日付に対して所定の入力を行い得る画面を有したタッチパネルと、該タッチパネルにて選択された日付に入力された内容に基づき、当該日付に達したことを条件として、浄化処理手段による治療に関わる所定動作を行わせる制御手段とを備えた血液浄化装置であれば、装置や各構成要素の外観形状が異なるもの或いは他の機能が付加されたもの等にも適用することができる。
【図面の簡単な説明】
【００４１】
【図１】本発明の実施形態に係る血液浄化装置の構成を示すブロック図
【図２】同血液浄化装置における浄化処理手段の一例を示す模式図
【図３】同血液浄化装置におけるタッチパネルの画面表示を示す模式図であって、設定される前のカレンダーを示す図
【図４】同血液浄化装置におけるタッチパネルの画面表示を示す模式図であって、所定動作を入力して設定するための表示を示す図
【図５】同血液浄化装置におけるタッチパネルの画面表示を示す模式図であって、任意の日付毎に所定動作が入力され、そのスケジュールを表示したカレンダーを示す図
【図６】同血液浄化装置におけるタッチパネルの画面表示を示す模式図であって、周期日数を入力して設定するための表示を示す図
【図７】同血液浄化装置におけるタッチパネルの画面表示を示す模式図であって、２日周期を選択した場合の表示を示す図
【図８】同血液浄化装置におけるタッチパネルの画面表示を示す模式図であって、２日周期の１日目と２日目との所定動作をそれぞれ入力した状態における表示を示す図
【図９】同血液浄化装置におけるタッチパネルの画面表示を示す模式図であって、２日周期で繰り返されるスケジュールを表示したカレンダーを示す図
【図１０】同血液浄化装置におけるタッチパネルの画面表示を示す模式図であって、２日周期で繰り返されるスケジュールを表示し、且つ過去の日付を異なる背景としたカレンダーを示す図
【図１１】同血液浄化装置におけるタッチパネルの画面表示を示す模式図であって、過去の日付を選択した場合の表示内容を示す図
【符号の説明】
【００４２】
１    タッチパネル
１ａ〜１ｉ  画面
２    制御手段
３    浄化処理手段
４    記憶手段
５    混合手段
６    供給手段
７ａ  動脈側血液回路
７ｂ  静脈側血液回路
８    血液ポンプ
９    ダイアライザ
１０  カレンダー
１１  周期設定部
【図１】
2007289480.tif 000003
【図２】
2007289480.tif 000004
【図３】
2007289480.tif 000005
【図４】
2007289480.tif 000006
【図５】
2007289480.tif 000007
【図６】
2007289480.tif 000008
【図７】
2007289480.tif 000009
【図８】
2007289480.tif 000010
【図９】
2007289480.tif 000011
【図１０】
2007289480.tif 000012
【図１１】
2007289480.tif 000013